(57)【要約】【課題】エアセルがクッション部材を変形させて沈む虞がなく、マッサージ装置の構造および製造工程を簡素化でき、所望の位置にエアセルを配置することができ、所望の材質、厚み、硬さを備えたクッション部材を使用することができるマッサージ装置を提供する。【解決手段】エアの供給により膨張可能なエアセルと、前記エアセルの下方に配置された、前記エアセルの下方への膨張を防止するためのエアセル保持板と、前記エアセル保持板の下方に配置された、前記エアセルと前記エアセル保持板を固定するための固定ベースとを含み、前記エアセルと前記エアセル保持板と前記固定ベースとが一体化されており、前記固定ベースの下方には、クッション部材が前記固定ベースと一体または別体として設けられているマッサージ装置とする。【選択図】図１
2020054542.tif 000002
【特許請求の範囲】
【請求項１】
エアの供給により膨張可能なエアセルと、
前記エアセルの下方に配置された、前記エアセルの下方への膨張を防止するためのエアセル保持板と、
前記エアセル保持板の下方に配置された、前記エアセルと前記エアセル保持板を固定するための固定ベースとを含み、
前記エアセルと前記エアセル保持板と前記固定ベースとが一体化されており、
前記固定ベースの下方には、クッション部材が前記固定ベースと一体または別体として設けられていることを特徴とする、マッサージ装置。
【請求項２】
前記エアセルと、前記エアセル保持板と、前記固定ベースとが螺合によって一体化されていることを特徴とする、請求項１に記載のマッサージ装置。
【請求項３】
前記エアセルは、使用者が前記マッサージ装置に横臥した際に、横臥した前記使用者の胸部から腹部にかかる部分に、前記使用者の身体の高さ方向に２つ設けられており、
前記２つのエアセルの間には、前記使用者の身体の幅方向に延びるように体動センサが設けられていることを特徴とする、請求項１または２に記載のマッサージ装置。
【発明の詳細な説明】
【技術分野】
【０００１】
本発明は、マッサージ装置に関し、より詳しくは、エアセルがクッション部材を変形させて沈む虞がなく、マッサージ装置の構造および製造工程を簡素化でき、所望の位置にエアセルを配置することができ、所望の材質、厚み、硬さを備えたクッション部材を使用することができるマッサージ装置に関する。
【背景技術】
【０００２】
従来から、使用者の疲労回復や睡眠の質の向上を目的とする、使用者が横になった状態でマッサージを受けることができるマッサージ装置が知られている（例えば、特許文献１〜２参照）。
【０００３】
特許文献１には、首支持部及び頭支持部を備える基台と、左右方向の中央部が首支持部に取り付けられ且つこの中央部を中心に左右の板部が上下回動可能な支持板と、支持板の左右の板部上に設けられたもみ部材と、首支持部と支持板との間に配置されて膨縮することにより、支持板の左右の板部上の首もみ部材を上下回動させるエアバッグと、エアバッグにエアを給排気して膨縮させるエア給排気手段を備え、支持板はフレキシブルな材料から形成されているエアマッサージ機が開示されている。
【０００４】
特許文献２には、マット本体の上に容易に屈曲しない板状部材が配設され、エアバッグが板状部材上に取り付けられている、軟質材料製のマット本体上に配設されたエアバッグをエア給排気手段により膨張・収縮させるようにしたマッサージ装置が開示されている。
【先行技術文献】
【特許文献】
【０００５】
【特許文献１】特開２００２−２８２０８号公報
【特許文献２】特開２００４−２５５０６８号公報
【発明の概要】
【発明が解決しようとする課題】
【０００６】
しかしながら、特許文献１に記載のエアマッサージ機では、エアバッグの下方（すなわち、エアバッグの厚み方向の下側）に設けられているマット本体が軟質材料から形成されているため、エアバッグが膨張した際に、エアバッグがマット本体を変形させて沈んでしまい、エアバッグの膨張によるマッサージ力が低下してしまうという問題があった。
【０００７】
また、特許文献２に記載のマッサージ装置は、エアバッグの沈みを防止するために、エアバッグが板状部材に取り付けられている。
しかしながら、特許文献２に記載のマッサージ装置では、板状部材をマット本体の凹部に配設する必要があるため、マット本体の構造が複雑となり、製造工程が煩雑になるという問題があった。
さらに、エアバッグの位置がマット本体の凹部に制限されるため、所望の位置にエアバッグを設置することができないという問題があった。
加えて、凹部が設けられた特殊な形状を有する専用のマットを使用する必要があるため、所望の材質、厚み、硬さを備えたマット本体を使用することができないという問題があった。
【０００８】
本発明は、上述した課題に鑑みてなされたものであり、エアセル（エアバッグ）がクッション部材（マット本体）を変形させて沈む虞がなく、クッション部材の構造および製造工程を簡素化でき、所望の位置にエアセルを配置することができ、所望の材質、厚み、硬さを備えたクッション部材を使用することができるマッサージ装置を提供するものである。
【課題を解決するための手段】
【０００９】
請求項１に係る発明は、エアの供給により膨張可能なエアセルと、
前記エアセルの下方に配置された、前記エアセルの下方への膨張を防止するためのエアセル保持板と、
前記エアセル保持板の下方に配置された、前記エアセルと前記エアセル保持板を固定するための固定ベースとを含み、
前記エアセルと前記エアセル保持板と前記固定ベースとが一体化されており、
前記固定ベースの下方には、クッション部材が前記固定ベースと一体または別体として設けられていることを特徴とする、マッサージ装置に関する。
【００１０】
請求項２に係る発明は、前記エアセルと、前記エアセル保持板と、前記固定ベースとが螺合によって一体化されていることを特徴とする、請求項１に記載のマッサージ装置に関する。
【００１１】
請求項３に係る発明は、前記エアセルは、使用者が前記マットの上に横臥した際に、横臥した前記使用者の胸部から腹部にかかる部分に、前記使用者の身体の高さ方向に２つ設けられており、
前記２つのエアセルの間には、前記使用者の身体の幅方向に延びるように体動センサが設けられていることを特徴とする、請求項１または２に記載のマッサージ装置に関する。
【発明の効果】
【００１２】
請求項１に係る発明によれば、マッサージ装置が、エアの供給により膨張可能なエアセルと、エアセルの下方に配置された、エアセルの下方への膨張を防止するためのエアセル保持板とを備えるため、エアセルが膨張した際のエアセルの沈み込みを防止でき、優れたマッサージ力を使用者に提供することができる。
マッサージ装置は、エアセル保持板の下方に配置された、エアセルとエアセル保持板を固定するための固定ベースとを含むため、固定ベースがクッション材となり、エアセルが膨張した際に生じるエアセル保持板の不快な揺れを防止でき、寝心地の良さを使用者に提供することができる。
エアセルとエアセル保持板と固定ベースとが一体化されているため、これらをユニットとして取り扱うことができ、移動、交換、清掃などが容易となり、取り扱い性が向上する。
【００１３】
また、請求項１に係る発明によれば、エアセルとエアセル保持板を保持するためにマットに凹部を設ける必要が無いため、マッサージ装置の構造および製造工程を簡素化でき、且つエアセルを凹部の位置に限定されず所望の位置に配することができる。
また、マッサージ装置には、固定ベースの下方に、クッション部材が固定ベースと一体または別体として設けられているため、マッサージ装置のクッション性をさらに高めることができ、より確実にエアセルが膨張した際の揺れを防止できる。
クッション部材が別体として設けられている場合、所望の材質、厚み、硬さを備えたクッション部材を使用することができ、使用者のニーズに合わせたマッサージ装置を提供することができる。
【００１４】
請求項２に係る発明によれば、エアセルと、エアセル保持板と、固定ベースとが螺合によって一体化されているため、より強固にエアセルと、エアセル保持板と、固定ベースとを一体化することができ、エアセルの膨張に伴ってエアセル保持板が意図せず揺れて使用者に不快感を与えることをより確実に防止することができる。
【００１５】
請求項３に係る発明によれば、エアセルは、使用者がマットの上に横臥した際に、横臥した使用者の胸部から腹部にかかる部分に、使用者の身体の高さ方向に２つ設けられており、２つのエアセルの間には、使用者の身体の幅方向に延びるように体動センサが設けられているため、使用者の身体全身を効果的且つ心地良くマッサージすることができ、且つ
２つのエアセルが膨張した際に体動センサがエアセルに圧迫されて破損する虞がなく、使用者の睡眠時の身体の動きをより容易に測定することができる。
【図面の簡単な説明】
【００１６】
【図１】本発明に係るマッサージ装置の斜視図である。
【図２】本発明に係るマッサージ装置の分解斜視図である。
【図３】Ａは本発明に係るマッサージ装置の断面図であり、ＢはＡの要部拡大図である。
【図４】エアセル保持板の取り付け位置を示す平面図である。
【図５】体動センサの取り付け位置を示す平面図である。
【図６】エアセルの取り付け位置を示す平面図である。
【図７】固定ベースとクッション部材の斜視図である。
【図８】本発明に係るマッサージ装置の使用方法の一例について説明するためのフローチャートである。
【発明を実施するための形態】
【００１７】
以下、本発明の実施形態について図面に基づいて説明する。
図１は、本発明に係るマッサージ装置の斜視図である。図２は、本発明に係るマッサージ装置の分解斜視図である。図３のＡは、本発明に係るマッサージ装置の断面図であり、ＢはＡの要部拡大図である。図４は、エアセル保持板の取り付け位置を示す平面図である。図５は、体動センサの取り付け位置を示す平面図である。図６は、エアセルの取り付け位置を示す平面図である。図７は、固定ベースとクッション部材の斜視図である。
【００１８】
図１および図２に示す如く、本発明に係るマッサージ装置（１）は、エアの供給により膨張可能なエアセル（２）と、エアセル（２）の下方に配置された、エアセル（２）の下方への膨張を防止するためのエアセル保持板（３）と、エアセル保持板（３）の下方に配置された、エアセル（２）とエアセル保持板（３）を固定するための固定ベース（４）とを含む。
固定ベース（４）の下方には、クッション部材（５）が固定ベース（４）と一体または別体として設けられている。
なお、本明細書において、図面の鉛直方向を上下方向（Ａ）（厚み方向）とし、上下方向に垂直な一方向を左右方向（Ｂ）とし、上下方向（Ａ）および左右方向（Ｂ）に垂直な方向を前後方向（Ｃ）とする。
【００１９】
本発明に係るマッサージ装置（１）は、エアセル（２）にエアを供給するエア供給手段（６）と、マッサージ装置（１）の電源やエアセル（２）によるマッサージを操作するための操作手段（７）を備えている。
エア供給手段（６）は、エアセル（２）にエアを供給することができるものであればいかなるものでも用いることができ、例えばポンプ等である。
操作手段（７）は、マッサージ装置（１）に一体的にまたは別体（有線または無線）として設けられており、使用者によってマッサージ装置（１）の電源のＯＮ／ＯＦＦやエアセル（２）によるマッサージの時間や種類等が操作可能なリモコンである。
リモコンはマッサージ装置（１）を操作できるものであればいかなるものであっても良く、例えばマッサージ装置（１）専用のリモコンであっても良く、スマートフォンやタブレット端末であっても良い。
操作手段（７）は後述する制御ユニット（８）と相互に通信できるように構成されている。
【００２０】
図２〜３に示す如く、本発明に係るマッサージ装置（１）では、上下方向（Ａ）の上から順に、ヒータ（９）、マット（１０）、体動センサ（１１）、エアセル（２）、エアセル保持板（３）、固定ベース（４）、およびクッション部材（５）が配置されている。
【００２１】
ヒータ（９）は、マット（１０）の上方に配置されており、使用者の身体を温めるために使用される。
ヒータ（９）が設けられていることにより、使用者がより心地良くマッサージを受けたり睡眠をとることができる。
ヒータ（９）は、操作手段（７）によってＯＮ／ＯＦＦや加熱の程度を設定できるようになっていることが望ましい。
ヒータ（９）の設置箇所は特に限定されず、使用者の身体を温めることができる位置であればいかなる箇所でも良い。
また、本発明に係るマッサージ装置（１）によるマッサージはヒータ（９）がなくとも実施できるため、ヒータ（９）は必ずしも設ける必要はない。
【００２２】
マット（１０）は、ヒータ（９）の下方に設けられている。
マット（１０）は、使用者がマッサージ装置（１）に横臥した際に使用者の身体を支持できるものであればその厚みや材質等は特に限定されず、いかなるものでも用いることができる。
マット（１０）は、左右方向（Ｂ）に亘ってひとつなぎのものであってもよく分割されたものであっても良い。
なお、本発明に係るマッサージ装置（１）によるマッサージはマット（１０）がなくとも実施できるため、マット（１０）は必ずしも設ける必要はない。
マット（１０）を設けない場合、使用者は直接エアセル（２）上に横臥するか、マット（１０）の代わりにシーツ等の布やタオルをエアセル（２）上に設置してマッサージ装置（１）を使用することができる。
【００２３】
体動センサ（１１）は、マット（１０）の下方に設けられている。
体動センサ（１１）は、制御ユニット（８）と相互に通信できるように構成されている。
図５に示す如く、体動センサ（１１）は、空気圧の変化を読み取るためのエアバッグ状の圧力センサであり、前後方向（Ｃ）（すなわち、使用者の身体の幅方向）に伸びた棒形状をしており、使用者の背中と腰との間に位置するように配置されている。
これにより、睡眠時の使用者の体動（体の動きや振動や呼吸数や心拍数や脈拍数によっての微妙な変化）が検知されて、後述する制御ユニット（８）に体動情報（睡眠情報）が出力されるようになっている。
制御ユニット（８）は体動センサ（１１）から出力された体動情報（睡眠情報）を受け取り、体動情報（睡眠情報）に合わせたマッサージを使用者に提供する。
【００２４】
エアセル（２）は、マット（１０）の下方に設けられている。
エアセル（２）は、エアホース（１２）を介してエア供給手段（６）に連結されており、エア供給手段（６）からエアが供給されることにより膨張するように構成されている。
エアセル（２）の材質は特に限定されず、例えばナイロンやウレタンなどから構成されており、エアが供給されることにより膨張することが可能となる材質であればいかなるものであっても良い。
【００２５】
また、図２に示す如く、エアホース（１２）の保持およびマッサージ装置（１）のクッション性の向上のために、マッサージ装置（１）の側面に側材（１３）を設けていても良い。
側材（１３）の材質は特に限定されず、例えば、ウレタン等、マットレスやベッド、布団、ソファー等に通常用いられているクッション性に優れた材質から形成されている。
【００２６】
エアセル（２）の配置箇所は特に限定されず、使用者がマッサージ装置（１）に横臥した際に、エアセル（２）が膨張することにより使用者の身体を持ち上げてマッサージすることができればいかなる箇所に配置されていても良い。
使用者の身体を効果的にマッサージできるという観点から、図６に示す如く、エアセル（２）は、使用者がマッサージ装置（１）に横臥した際に、横臥した使用者の胸部から腹部にかかる部分に、使用者の身体の高さ方向（すなわち、左右方向（Ｂ））に２つ設けられ、且つ使用者の脚部に使用者の身体の高さ方向（すなわち、左右方向（Ｂ））に１つ設けられていることが望ましい。
エアセル（２）が少なくとも上記３箇所に設けられていることにより、使用者の身体全身を効果的且つ心地良くマッサージすることができる。
なお、エアセル（２）を上記箇所に設ける場合、体動センサ（１１）は、横臥した使用者の胸部から腹部にかかる部分に設けられた２つのエアセル（２）の間に設けることが望ましい。
体動センサ（１１）を上記位置に設けることにより、２つのエアセル（２）が膨張した際に体動センサ（１１）がエアセル（２）に圧迫されて破損する虞がなく、且つ使用者の睡眠時の身体の動きをより容易に測定することができる。
【００２７】
エアセル（２）は、後述するエアセル保持板（３）と固定ベース（４）と一体化されている。
エアセル（２）とエアセル保持板（３）と固定ベース（４）とを一体化することにより、エアセル（２）を強固に所望の位置に固定することができ、マッサージ中にエアセル（２）が意図せず動いてしまう虞がなく、より効果的且つ快適に使用者にマッサージを施すことができる。
また、エアセル（２）とエアセル保持板（３）と固定ベース（４）とを一体化することにより、これらをユニットとして取り扱うことができ、使用や交換等の取り扱いが容易になる。
一体化方法は特に限定されず、エアセル（２）とエアセル保持板（３）と固定ベース（４）とを夫々接着する等、これらを一体化できる方法であればいかなる方法でも用いることができる。
エアセル（２）とエアセル保持板（３）と固定ベース（４）とを一体化する最も好ましい方法は、螺合によって一体化する方法である。
より具体的には、図６に示す如く、エアセル（２）に孔（２１）が設けられており、この孔（２１）に螺子を通し、固定ベース（４）に設けられた孔に螺子を通し、固定ベース（４）の下側からナットで締めて一体化させる。
エアセル（２）とエアセル保持板（３）と固定ベース（４）とを螺合によって一体化することにより、接着よりもより強固にエアセルを固定することができ、エアセル（２）の膨張に伴ってエアセル保持板（３）が意図せず揺れて使用者に不快感を与えることをより確実に防止することができる。
【００２８】
エアセル保持板（３）は、エアセル（２）の下方に設けられており、エアセル（２）と固定ベース（４）と一体化されている。
エアセル保持板（３）は、エアセル（２）が膨張した際に、エアセル（２）が下方に沈み込む（下方に膨張する）ことを防止するために設けられている。
そのため、エアセル保持板（３）は、ポリプロピレン（ＰＰ）、ポリエチレン（ＰＥ）、ポリ塩化ビニル（ＰＶＣ）、ポリスチレン（ＰＳ）、アクリル樹脂、ＡＢＳ樹脂、ポリテトラフルオロエチレン（ＰＴＦＥ）等の熱可塑性樹脂や、フェノール樹脂（ＰＦ）、エポキシ樹脂（ＥＰ）、メラミン樹脂（ＭＦ）等の熱硬化性樹脂や、金属等の材料を用い、後述するクッション部材（５）よりも硬く、エアセル（２）が膨張した際に、エアセル（２）が下方に沈み込む（下方に膨張する）ことを防止することができるように形成されている。
【００２９】
エアセル保持板（３）の配置箇所は特に限定されず、エアセル（２）が膨張した際に、エアセル（２）が下方に沈み込む（下方に膨張する）ことを防止することができるように少なくともエアセル（２）の下方に設けられていればいかなる箇所に配置されていても良い。
マッサージ装置（１）の取り扱いが容易になるという観点から、図４に示す如く、エアセル保持板（３）は、複数枚に分割して配置することが望ましい。
エアセル保持板（３）を分割して配置することにより、マッサージ装置（１）を折りたたむまたは丸めることができるため、マッサージ装置（１）の使用や収納が容易になり、取り扱い性が向上する。
【００３０】
叙上の通り、エアセル保持板（３）は、エアセル（２）と固定ベース（４）と一体化されている。
エアセル保持板（３）とエアセル（２）と固定ベース（４）とを螺合により一体化させる場合、エアセル保持板（３）に螺子を通すための孔（３１）を設ける（図４参照）。
【００３１】
図６に示す如く、エアセル保持板（３）を３つに分けて配置し、３つに分けたエアセル保持板（３）の上に、頭部用のエアセル（２２）、背中および肩用のエアセル（２３）、腰および尻用のエアセル（２４）、太もも用のエアセル（２５）、ひざ裏用のエアセル（２６）、およびふくらはぎ用のエアセル（２７）を夫々配置して螺合により一体化することで、使用者の体の形状や動きに合わせて、頭部、背中、肩、腰、尻、太もも、ひざ裏、およびふくらはぎを効果的にマッサージすることができる。
【００３２】
固定ベース（４）は、エアセル保持板（３）の下方に設けられており、エアセル（２）とエアセル保持板（３）と一体化されている。
固定ベース（４）は、エアセル（２）とエアセル保持板（３）を固定するために設けられている。
固定ベース（４）は、エアセル保持板（３）よりも柔らかい素材で形成されている。
固定ベース（４）がエアセル保持板（３）よりも柔らかいことにより、エアセル（２）が堅い素材から形成されているエアセル保持板（３）上で膨張した際に生じ得るエアセル保持板（３）の揺れを防止することができ、使用者により効果的且つ快適なマッサージを提供することができる。
そのため、固定ベース（４）は、フェルト等の不織布やその他の繊維等、エアセル保持板（３）よりも柔らかい素材で形成されていることが望ましい。
【００３３】
叙上の通り、固定ベース（４）は、エアセル（２）とエアセル保持板（３）と一体化されている。
固定ベース（４）とエアセル保持板（３）とエアセル（２）とを螺合により一体化させる場合、固定ベース（４）に螺子を通すための孔（図示せず）を設け、この孔に螺子を通して、固定ベースの下方からナットを締めて固定ベース（４）とエアセル保持板（３）とエアセル（２）とを一体化する。
【００３４】
クッション部材（５）は、固定ベース（４）の下方に、固定ベース（４）と一体または別体として設けられている。
固定ベース（４）の下方にクッション部材（５）が配置されていることにより、エアセル（２）が堅い素材から形成されているエアセル保持板（３）上で膨張した際に生じ得るエアセル保持板（３）の揺れをより確実に防止することができ、使用者により効果的且つ快適なマッサージを提供することができる。
加えて、マッサージ装置（１）の寝心地を良くすることができ、使用者により快適な睡眠を提供することができる。
上記効果を奏するために、クッション部材（５）は、エアセル保持板（３）よりも柔らかい材質から形成されていることが望ましく、例えば、ウレタン等、マットレスやベッド、布団、ソファー等に通常用いられている材質から形成されていることが望ましい。
尚、別体として用いるクッション部材（５）は、マッサージ装置（１）専用のものであっても良く、自宅にあるベッド、マットレス、布団等であっても良く、クッション部材として機能するものであればいかなるものでも用いることができる。
【００３５】
クッション部材（５）を固定ベース（４）と一体的に設ける場合、クッション部材（５）と固定ベース（４）を接着により固定することが望ましい。
接着によりクッション部材（５）と固定ベース（４）を固定する場合、少なくともクッション部材（５）と固定ベース（４）の左右端部（１４）を接着することが望ましい（図７参照）。
クッション部材（５）と固定ベース（４）を接着により固定することにより、クッション部材（５）を傷める虞が少なくなる。
クッション部材（５）と固定ベース（４）を螺合により固定する場合、クッション部材（５）に孔を設ける必要があり、この孔によりクッション部材（５）を傷める虞があるため、螺合による固定は望ましくない。
【００３６】
図２に示す如く、本発明に係るマッサージ装置（１）は、制御ユニット（８）を備えている。
制御ユニット（８）は、操作手段（７）と体動センサ（１１）と相互に通信できるように構成されている。
制御ユニット（８）は、ＣＰＵやメモリ（記憶部）等から構成されたものであり、マッサージ装置（１）全体を制御する。
制御ユニット（８）はエア供給手段（６）に連結されており、操作手段（７）に入力された情報を制御ユニット（８）が受け取り、入力された情報どおりにエア供給手段（６）を動作させ、所望のマッサージを提供するように構成されている。
また、制御ユニット（８）には、１以上のＵＳＢ口が形成されていても良い。
ＵＳＢ口が形成されていることにより、外部装置等と接続可能となる。
さらに、制御ユニット（８）に、おしゃべり機能を有するスピーカを設けても良い。これにより、スピーカで、マッサージコースや使用者の睡眠情報等を音声案内することができる。
【００３７】
図示していないが、本発明に係るマッサージ装置（１）は、マイクを備えていても良い。
マイクを備えることにより、睡眠時の使用者から生じる音（いびき等の睡眠情報）が検知されて、制御ユニット（８）に使用者から生じる音（睡眠情報）が出力されるようになっている。
尚、マイクは、スマートフォン等の別の装置に設けられていてもよく、この場合には、使用者より高い位置に配置した方が、集音しやすいため好ましい。
また、音声認識機能のためのマイクであってもよい。これにより、操作手段（７）の代わりに操作することもできる。
尚、本発明に係るマッサージ装置（１）は、睡眠情報を取得するために、例えば体温計、脳波測定器、超音波検出器等を備えていても良い。
【００３８】
制御ユニット（８）のメモリには、マッサージコースに係るデータが格納されるように構成されており、スマートフォン等でダウンロードされた複数（任意の数）のマッサージコースを記憶することができる。
これらのマッサージコースは、マッサージ装置（１）の販売元等によって作成されたプログラムであり、各エアセル（２）や各ヒータ（９）を所定の手順で実行させるためのものとなっている。
例えばマッサージコースとして、目的に応じて、おはようコース、おやすみコース、姿勢改善コース、骨盤コース等が用意されている。
【００３９】
例えば、本発明に係るマッサージ装置（１）において、使用者は、マッサージ装置（１）の上面に横臥すると、睡眠する前に操作手段（７）を用いて起床予定時刻を設定するとともに、「おやすみコース」を選択すると、「おやすみコース」が実行される。
その後、使用者がマッサージ装置（１）上で睡眠すると、制御ユニット（８）では、マイクや体動センサ（１１）から使用者の睡眠情報を取得して、使用者の睡眠状態を評価して、複数のマッサージコースの内から一のマッサージコースを自動的に選択し、選択されたマッサージコースが、使用者が起床し操作手段（７）のＳＴＡＲＴボタンを押圧した際に実行されるようになっている。
【００４０】
具体的には、制御ユニット（８）は、マイクや体動センサ（１１）から使用者の睡眠情報を取得してメモリに記憶させる取得部と、使用者の睡眠状態を評価する睡眠状態評価手段と、エアセルの制御方法を出力することが可能な制御手段と、操作手段（７）等との間でデータの送受信を可能とする送受信部とを備える。
【００４１】
取得部は、マイクによって使用者から生じる音（睡眠情報）を所定時間間隔で取得してメモリに記憶させるとともに、体動センサ（１１）によって使用者の体動情報（睡眠情報）を所定時間間隔で取得してメモリに記憶させる制御を行う。
これにより、メモリには、当日１日の睡眠時の使用者の睡眠情報が記憶されるとともに、過去の睡眠時の使用者の睡眠情報が蓄積されることになる。
【００４２】
睡眠状態評価手段は、メモリに記憶された使用者から生じる音（睡眠情報）及び使用者の体動情報（睡眠情報）に基づいて、使用者の睡眠状態を評価する制御を行う。
例えば、使用者から生じる音（睡眠情報）及び使用者の体動情報（睡眠情報）を用いて、就寝時刻、入眠時刻、入眠潜時、覚醒時刻、起床時刻、離床潜時、中途覚醒時間、中途覚醒回数、総睡眠時間、寝返り回数、体動数、無呼吸時間、呼吸数、脈拍数、心拍数を、例えばカーネル法等を用いて睡眠状態として算出する。このとき、生じる音（睡眠情報）だけで睡眠状態を評価してもよく、使用者の体動情報（睡眠情報）だけで睡眠状態を評価してもよく、生じる音（睡眠情報）と使用者の体動情報（睡眠情報）とで睡眠状態を精度良く評価することができる。
【００４３】
尚、就寝時刻とは、使用者が寝床に入った時刻である。入眠時刻とは、使用者が寝入った時刻である。入眠潜時とは、使用者が寝床に入ってから寝入るまでの時間である。覚醒時刻とは、使用者が最終的に覚醒した時刻である。起床時刻とは、使用者が最終的に寝床を離れた時刻である。離床潜時とは、使用者が最終的に覚醒してから寝床を離れるまでの時間である。中途覚醒時間とは、入眠時刻から覚醒時刻までの間の覚醒時間の合計である。中途覚醒回数とは、入眠時刻から覚醒時刻までの間の覚醒回数である。総睡眠時間とは、入眠時刻から覚醒時刻までの時間から中途覚醒時間を引いた時間である。寝返り回数とは、中途覚醒時を含まない入眠時刻から覚醒時刻までの間の寝返りの回数である。体動数とは、中途覚醒時を含まない入眠時刻から覚醒時刻までの間の体動（粗体動と細体動）の回数である。無呼吸時間とは、入眠時刻から覚醒時刻までの間の無呼吸状態の合計時間である。呼吸数とは、睡眠中の使用者の呼吸数である。脈拍数とは、睡眠中の使用者の脈拍数である。心拍数とは、睡眠中の使用者の心拍数である。
【００４４】
制御手段は、睡眠状態評価手段の評価結果に基づいて、複数のマッサージコースの内から一のマッサージコースを選択し、選択したマッサージコースに基づいて、複数のエアセル（２）及びエア供給手段（６）を制御する。
例えば、睡眠状態評価手段で、蓄積された使用者の睡眠情報に基づいて、睡眠が深い眠りであったと判定されたときには、適切なマッサージコースとして「おはようコース」を選択し、選択した「おはようコース」が、使用者が起床し操作手段（７）のＳＴＡＲＴボタンを押圧した際に実行されるようになっている。
一方、睡眠状態評価手段で、蓄積された使用者の睡眠情報に基づいて、睡眠が浅い眠りであったと判定されたときには、適切なマッサージコースとして「気分スッキリコース」を選択し、選択した「気分スッキリコース」が、使用者が起床し操作手段（７）のＳＴＡＲＴボタンを押圧した際に実行されるようになっている。
尚、制御手段は、ＡＩ機能を有し、このＡＩ機能に基づいて、複数のマッサージコースの内から一のマッサージコースが選択されてもよい。
【００４５】
また、制御手段は、メモリに設定された起床予定時刻の少し前（以前）になると（評価結果から使用者を起床させるのに最適となった状態時に）、おはようウェーブ（起床させる動作）を行い、使用者が起床し操作手段（７）のＳＴＯＰボタンを押圧した際に、おはようウェーブを行うことを停止されるようになっている。
このとき、その後、操作手段（７）のＳＴＡＲＴボタンを押圧した際に、選択したマッサージコースが実行されることになる。
つまり、エアセルに起床させる動作を実行させ、その後、マッサージ動作を実行させる。
【００４６】
次に、本発明に係るマッサージ装置（１）の使用方法の一例について説明する。
図８は、本発明に係るマッサージ装置（１）の使用方法の一例について説明するためのフローチャートである。
まず、使用者は、マッサージ装置（１）の上面に横臥すると、睡眠する前に操作手段（７）を用いて起床予定時刻（例えば平日７時）を設定する（ステップＳ１０１）。
尚、マッサージ装置（１）に、毎日の起床予定時刻として、起床予定時刻（例えば７時）は予め設定されていてもよい。
【００４７】
次に、使用者が、睡眠する前に心地よい就寝が提供されるようにマッサージを行うために、操作手段（７）のＳＴＡＲＴボタンが押圧されたか否かを判定する（ステップＳ１０２）。
ＳＴＡＲＴボタンが押圧されたと判定したときには、操作手段（７）を用いて選択された「おやすみコース」が実行される（ステップＳ１０３）。
そして、「おやすみコース」が所定時間（７分〜１０分）、実行されると、「おやすみコース」が実行されることを終了する（ステップＳ１０４）。
これにより、使用者の副交感神経が刺激されて、入眠が促進される。
【００４８】
ステップＳ１０４の処理が終了するか、若しくは、ステップＳ１０２の処理においてＳＴＡＲＴボタンが押圧されていないと判定したとき（すなわち、睡眠する前に何もせず睡眠したとき）には、使用者が睡眠すると、マイクによって使用者から生じる音（睡眠情報）が所定時間間隔で取得されてメモリに記憶されるとともに、体動センサ（１１）によって使用者の体動情報（睡眠情報）が所定時間間隔で取得されてメモリに記憶される（ステップＳ１０５）。
【００４９】
次に、制御手段は、設定された起床予定時刻の前（例えば６時５０分）で、睡眠情報から使用者を起床させるのに最適となった状態であるか否かを判定する（ステップＳ１０６）。
最適となった状態でないと判定したときには、ステップＳ１０５の処理に戻る。
一方、最適となった状態であると判定したときには、制御手段は、睡眠している状態から使用者を起床させるために、身体をひねる様なマッサージ動作ではなく、頭部〜足部にかけて順番に動かす動作（起床させる動作）となるおはようウェーブを行う（ステップＳ１０７）。
【００５０】
次に、制御手段は、使用者が起床し操作手段（７）のＳＴＯＰボタンが押圧されたか否かを判定する（ステップＳ１０８）。
ＳＴＯＰボタンが押圧されていないと判定したときには、ステップＳ１０７の処理を繰り返す。
一方、ＳＴＯＰボタンが押圧されたと判定したときには、おはようウェーブを停止させる（ステップＳ１０９）。
【００５１】
次に、制御手段は、操作手段（７）のＳＴＡＲＴボタンが押圧された否かを判定する（ステップＳ１１０）。
ＳＴＡＲＴボタンが押圧されたと判定したときには、睡眠状態評価手段は、メモリに記憶された使用者から生じる音（睡眠情報）及び使用者の体動情報（睡眠情報）に基づいて、使用者の睡眠状態を評価し、制御手段は、使用者に爽快な目覚めが提供されるように、複数のマッサージコースの内から一のマッサージコースを選択し、選択したマッサージコースを実行させる（ステップＳ１１１）。
これにより、使用者の副交感神経が刺激されて、すっきり目覚めることができる。
【００５２】
ステップＳ１１１の処理が終了するか、若しくは、ステップＳ１１０の処理においてＳＴＡＲＴボタンが押圧されていないと判定したとき（すなわち、朝時間がなくマッサージを実行しなかったとき）には、本フローチャートを終了させる。
【００５３】
以上のように本発明に係るマッサージ装置（１）によれば、使用者の睡眠の質（使用者に合った睡眠）を判定評価して、判定評価結果に基づいてエアセルの制御方法（最適なマッサージコース）を示すことで、睡眠の質を向上させることができる。特に使用者が睡眠する前にマッサージを行うことで、心地よい就寝を提供し、使用者が起床した後にマッサージを行うことで、爽快な目覚めを提供する。
【００５４】
尚、本発明に係るマッサージ装置（１）は、使用者の睡眠情報とは関係なく、単にマッサージ装置として使用することができ、上述したように使用者の睡眠情報に基づいて、使用者に適切なマッサージを施すように動作するマッサージ装置としても使用することができる。
【００５５】
上記の通り、本発明に係るマッサージ装置（１）は、エアセル（２）の下方への膨張を防止するエアセル保持板（３）と、エアセル（２）とエアセル保持板（３）を固定し、エアセル（２）の膨張によるエアセル保持板（３）の不要な揺れを防止する固定ベース（４）と、クッション部材（５）とを備えることにより、優れたマッサージ効果と寝心地の良さと取り扱い性の良さと設置場所およびクッション部材の選択性の良さを同時に提供することができる。
【産業上の利用可能性】
【００５６】
本発明に係るマッサージ装置は、エアセルがクッション部材を変形させて沈む虞がなく、マッサージ装置の構造および製造工程を簡素化でき、所望の位置にエアセルを配置することができ、所望の材質、厚み、硬さを備えたクッション部材を使用することができるため、使用者の疲労回復や睡眠改善、リフレッシュ等を目的とするマッサージ装置として有用である。
【符号の説明】
【００５７】
１      マッサージ装置
２      エアセル
３      エアセル保持板
４      固定ベース
５      クッション部材
６      エア供給手段
７      操作手段
８      制御ユニット
９      ヒータ
１０    マット
１１    体動センサ
１２    エアホース
１３    側材
【図１】
2020054542.tif 000003
【図２】
2020054542.tif 000004
【図３】
2020054542.tif 000005
【図４】
2020054542.tif 000006
【図５】
2020054542.tif 000007
【図６】
2020054542.tif 000008
【図７】
2020054542.tif 000009
【図８】
2020054542.tif 000010